【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
データ送信のための方法であって、前記方法は、
マスタネットワークデバイスが、データを前記マスタネットワークデバイスから複数のクライアントネットワークデバイスに送信すると決定することと、
前記マスタネットワークデバイスが、ペイロードを含むデータフレームを生成することと、前記ペイロードは、前記複数のクライアントネットワークデバイスに知られているパターンで配置された第１の複数のシンボルを含み、
前記マスタネットワークデバイスが、前記第１の複数のシンボルのうちの少なくとも１つのシンボルを前記複数のクライアントネットワークデバイスの各々に割り振ることと、ここにおいて、前記第１の複数のシンボルのうちの少なくとも第１のシンボルは、前記複数のクライアントネットワークデバイスの第１のクライアントネットワークデバイスにのみ割り振られる、
を具備する方法。
【請求項２】
前記データフレームは、プリアンブルと、フレーム制御とをさらに含み、前記第１の複数のシンボルのうちの少なくとも第２のシンボルは、前記複数のクライアントネットワークデバイスのうちの第２のクライアントネットワークデバイスに割り振られる、請求項１に記載の方法。
【請求項３】
前記データフレームは物理レイヤプロトコルデータユニット（ＰＰＤＵ）である、請求項２に記載の方法。
【請求項４】
前記第１の複数のシンボルのうちの第２のシンボルは、前記複数のクライアントネットワークデバイスのうちの第２のクライアントネットワークデバイスにのみ割り振られ、第１のトーンマップに関連付けられる第１のビットローディング方式は、前記第１のシンボルに使用され、第２のトーンマップに関連付けられる第２のビットローディング方式は、前記第２のシンボルに使用される、請求項１に記載の方法。
【請求項５】
前記マスタネットワークデバイスと前記第１のクライアントネットワークデバイスとの間の第１の送信チャネルの第１のチャネル特性を決定することと、
前記第１のチャネル特性に少なくとも部分的に基づいて、前記第１のトーンマップを決定することと、
前記マスタネットワークデバイスと前記第２のクライアントネットワークデバイスとの間の第２の送信チャネルの第２のチャネル特性を決定することと、
前記第２のチャネル特性に少なくとも部分的に基づいて、前記第２のトーンマップを決定することと
をさらに具備する、請求項４に記載の方法。
【請求項６】
前記複数のクライアントネットワークデバイスのうちの前記第１のクライアントネットワークデバイスと第２のクライアントネットワークデバイスとの間で均等に前記第１の複数のシンボルを割り振ることと
をさらに具備する、請求項１に記載の方法。
【請求項７】
前記パターンは、前記第１のクライアントネットワークデバイスと前記第２のクライアントネットワークデバイスとに知られているインターリーブされたパターンである、請求項６に記載の方法。
【請求項８】
前記第１のクライアントネットワークデバイスと第２のクライアントネットワークデバイスとに関連付けられるデータ分配比に少なくとも部分的に基づいて、前記複数のクライアントネットワークデバイスのうちの前記第１のクライアントネットワークデバイスと前記第２のクライアントネットワークデバイスとの間で前記第１の複数のシンボルを割り振ることと
をさらに具備する、請求項１に記載の方法。
【請求項９】
前記マスタネットワークデバイスと前記第１のクライアントネットワークデバイスとの間の第１のデータ送信に関連付けられる第１のデータレートが、前記マスタネットワークデバイスと前記複数のクライアントネットワークデバイスのうちの第２のクライアントネットワークデバイスとの間の第２のデータ送信に関連付けられる第２のデータレートよりも大きいと決定することと、
前記第２のクライアントネットワークデバイスと比較して、より多くの数の前記第１の複数のシンボルを前記第１のクライアントネットワークデバイスに割り振ることと
をさらに具備する、請求項１に記載の方法。
【請求項１０】
前記ペイロードは、第２の複数のシンボルをさらに含み、前記第２の複数のシンボルの各々は、複数の周波数キャリアを有し、
区分パターンに少なくとも部分的に基づいて、前記第２の複数のシンボルの各々のうちの少なくとも１つの周波数キャリアを前記複数のクライアントネットワークデバイスの各々に割り振ること
をさらに具備する、請求項１に記載の方法。
【請求項１１】
ペイロードを含む第２のデータフレームを生成することと、前記ペイロードは、複数の周波数キャリアを有する少なくとも１つの第１のシンボルを含み、
区分パターンに少なくとも部分的に基づいて、前記複数の周波数キャリアのうちの少なくとも１つの周波数キャリアを前記複数のクライアントネットワークデバイスの各々に割り振ること
をさらに具備する、請求項１に記載の方法。
【請求項１２】
マスタネットワークデバイスであって、
ネットワークインタフェースと、
前記ネットワークインタフェースに接続されるフレーム生成部と、
を具備し、前記フレーム生成部は、
データを前記マスタネットワークデバイスから複数のクライアントネットワークデバイスに送信すると決定することと、
ペイロードを含むデータフレームを生成することと、前記ペイロードは、前記複数のクライアントネットワークデバイスに知られているパターンで配置された複数のシンボルを含み、
前記複数のシンボルのうちの少なくとも１つのシンボルを前記複数のクライアントネットワークデバイスの各々に割り振ることと、ここにおいて、前記複数のシンボルのうちの少なくとも第１のシンボルは、前記複数のクライアントネットワークデバイスの第１のクライアントネットワークデバイスにのみ割り振られる、
を行うように構成される、マスタネットワークデバイス。
【請求項１３】
前記データフレームは、プリアンブルと、フレーム制御とをさらに含み、前記複数のシンボルのうちの少なくとも第２のシンボルは、前記複数のクライアントネットワークデバイスのうちの第２のクライアントネットワークデバイスに割り振られる、請求項１２に記載のマスタネットワークデバイス。
【請求項１４】
前記複数のシンボルのうちの第２のシンボルは、前記複数のクライアントネットワークデバイスのうちの第２のクライアントネットワークデバイスにのみ割り振られ、第１のトーンマップに関連付けられる第１のビットローディング方式は、前記第１のシンボルに使用され、第２のトーンマップに関連付けられる第２のビットローディング方式は、前記第２のシンボルに使用される、請求項１２に記載のマスタネットワークデバイス。
【請求項１５】
前記フレーム生成部は、さらに、
前記マスタネットワークデバイスと前記第１のクライアントネットワークデバイスとの間の第１の送信チャネルの第１のチャネル特性を決定し、
前記第１のチャネル特性に少なくとも部分的に基づいて、前記第１のトーンマップを決定し、
前記マスタネットワークデバイスと前記第２のクライアントネットワークデバイスとの間の第２の送信チャネルの第２のチャネル特性を決定し、
前記第２のチャネル特性に少なくとも部分的に基づいて、前記第２のトーンマップを決定する
ように構成される、請求項１４に記載のマスタネットワークデバイス。
【請求項１６】
前記フレーム生成部は、さらに、
前記複数のクライアントネットワークデバイスのうちの前記第１のクライアントネットワークデバイスと第２のクライアントネットワークデバイスとの間で均等に前記複数のシンボルを割り振る
ように構成される、請求項１２に記載のマスタネットワークデバイス。
【請求項１７】
前記フレーム生成部は、さらに、
前記第１のクライアントネットワークデバイスと第２のクライアントネットワークデバイスとに関連付けられるデータ分配比に少なくとも部分的に基づいて、前記複数のクライアントネットワークデバイスのうちの前記第１のクライアントネットワークデバイスと前記第２のクライアントネットワークデバイスとの間で前記複数のシンボルを割り振る
ように構成される、請求項１２に記載のマスタネットワークデバイス。
【請求項１８】
前記フレーム生成部は、さらに、
前記マスタネットワークデバイスと前記第１のクライアントネットワークデバイスとの間の第１のデータ送信に関連付けられる第１のデータレートが、前記マスタネットワークデバイスと前記複数のクライアントネットワークデバイスのうちの第２のクライアントネットワークデバイスとの間の第２のデータ送信に関連付けられる第２のデータレートよりも大きいと決定し、
前記第２のクライアントネットワークデバイスと比較して、より多くの数の前記複数のシンボルを前記第１のクライアントネットワークデバイスに割り振るように構成される、請求項１２に記載のマスタネットワークデバイス。
【請求項１９】
マスタネットワークデバイスの１つ以上のプロセッサによって実行されるとき、前記マスタネットワークデバイスに、
データを前記マスタネットワークデバイスから複数のクライアントネットワークデバイスに送信すると決定することと、
ペイロードを含むデータフレームを生成することと、前記ペイロードは、前記複数のクライアントネットワークデバイスに知られているパターンで配置された複数のシンボルを含み、
前記複数のシンボルのうちの少なくとも１つのシンボルを前記複数のクライアントネットワークデバイスの各々に割り振ることと、ここにおいて、前記複数のシンボルのうちの少なくとも第１のシンボルは、前記複数のクライアントネットワークデバイスの第１のクライアントネットワークデバイスにのみ割り振られる、
を備える動作を行わせる命令を記憶した非一時的な機械可読記憶媒体。
【請求項２０】
前記データフレームは、プリアンブルと、フレーム制御とをさらに含み、前記複数のシンボルのうちの少なくとも第２のシンボルは、前記複数のクライアントネットワークデバイスのうちの第２のクライアントネットワークデバイスに割り振られる、請求項１９に記載の非一時的な機械可読記憶媒体。
【請求項２１】
前記複数のシンボルのうちの第２のシンボルは、前記複数のクライアントネットワークデバイスのうちの第２のクライアントネットワークデバイスにのみ割り振られ、第１のトーンマップに関連付けられる第１のビットローディング方式は、前記第１のシンボルに使用され、第２のトーンマップに関連付けられる第２のビットローディング方式は、前記第２のシンボルに使用される、請求項１９に記載の非一時的な機械可読記憶媒体。